(57)【要約】【課題】生体情報蓄積部に蓄積された生体情報が使用者の意図に反して消去されてしまうことを低減し得る生体情報取得装置を提供すること。【解決手段】本発明による生体情報取得装置は、生体情報を取得するための生体情報取得部と、取得された生体情報を順次蓄積するための生体情報蓄積部と、これら生体情報取得部及び生体情報蓄積部を制御するための制御部とを備えてなる生体情報取得装置であって、前記生体情報蓄積部の蓄積容量に関する情報が格納された容量情報格納部と、前記生体情報蓄積部の蓄積状態に関する情報を報知するための蓄積状態報知部とを更に備え、前記制御部が、前記生体情報蓄積部に生体情報を蓄積する毎に前記蓄積容量に関する情報を更新すると共に、この更新された蓄積容量に関する情報に基づいて前記蓄積状態に関する情報を前記蓄積状態報知部に出力するものである。【選択図】      図４
2005211603.tif 000002
【特許請求の範囲】
【請求項１】
生体情報を取得するための生体情報取得部と、取得された生体情報を順次蓄積するための生体情報蓄積部と、これら生体情報取得部及び生体情報蓄積部を制御するための制御部とを備えてなる生体情報取得装置であって、前記生体情報蓄積部の蓄積容量に関する情報が格納された容量情報格納部と、前記生体情報蓄積部の蓄積状態に関する情報を報知するための蓄積状態報知部とを更に備え、前記制御部は、前記生体情報蓄積部に生体情報を蓄積する毎に前記蓄積容量に関する情報を更新すると共に、この更新された蓄積容量に関する情報に基づいて前記蓄積状態に関する情報を前記蓄積状態報知部に出力することを特徴とする生体情報取得装置。
【請求項２】
前記制御部は、前記蓄積容量に関する情報の更新によってこの蓄積容量に関する情報が前記生体情報蓄積部の空き容量が残されていないことを示す所定の状態に達したとき、前記蓄積状態に関する情報として前記生体情報蓄積部の空き容量が残されていないことを示す情報を前記蓄積状態報知部に出力し、且つ、前記蓄積容量に関する情報の更新を停止することを特徴とする請求項１記載の生体情報取得装置。
【請求項３】
前記生体情報蓄積部への生体情報の蓄積順位に関する情報が格納された順位情報格納部を更に備え、前記制御部は、前記生体情報蓄積部に生体情報を蓄積する毎に前記蓄積順位に関する情報を更新すると共に、この更新された蓄積順位に関する情報に基づいて生体情報を前記生体情報蓄積部に蓄積することを特徴とする請求項１又は２記載の生体情報取得装置。
【請求項４】
前記生体情報蓄積部に蓄積された生体情報を外部の情報処理装置に送出するための生体情報送出手段を更に備え、前記制御部は、前記生体情報送出手段によって前記生体情報蓄積部に蓄積された生体情報が外部の情報処理装置に送出されたとき、前記蓄積容量に関する情報を初期の状態に戻すことを特徴とする請求項１乃至３記載の生体情報取得装置。
【請求項５】
前記生体情報送出手段は、少なくとも前記生体情報取得部が組込まれた生体情報取得装置本体に対して別体且つ着脱自在に構成されると共に、少なくとも前記生体情報蓄積部と前記容量情報格納部とが組込まれてなる記憶装置であることを特徴とする請求項４記載の生体情報取得装置。
【請求項６】
前記記憶装置には、前記順位情報格納部が更に組込まれてなることを特徴とする請求項５記載の生体情報取得装置。
【請求項７】
前記生体情報取得部で取得された生体情報を表示するための生体情報表示部を更に備え、この生体情報表示部に前記蓄積状態報知部が一体的に組込まれてなることを特徴とする請求項１乃至６記載の生体情報取得装置。
【請求項８】
生体情報を取得するための生体情報取得部が組込まれた生体情報取得装置本体に対して別体且つ着脱自在に構成されると共に、前記生体情報取得部で取得された生体情報を蓄積するための生体情報蓄積部とこの生体情報蓄積部の蓄積容量に関する情報が格納された容量情報格納部とが組込まれてなることを特徴とする生体情報取得装置用の記憶装置。
【請求項９】
前記生体情報蓄積部への生体情報の蓄積順位に関する情報が格納された順位情報格納部が更に組込まれてなることを特徴とする請求項８記載の生体情報取得装置用の記憶装置。
【発明の詳細な説明】
【技術分野】
【０００１】
本発明は、使用者の生体情報を取得するための生体情報取得装置及び生体情報取得装置用の記憶装置に関し、特に取得した生体情報を蓄積するための生体情報蓄積部を備えた生体情報取得装置及び生体情報取得装置用の記憶装置に関する。
【背景技術】
【０００２】
使用者の体重、体脂肪率、脈拍、歩数等といった生体情報を取得する各種の生体情報取得装置が開発され、実用化されている。これらの生体情報取得装置には、体重計のように、使用者の生体情報である体重を直接的に測定するものや、体脂肪計のように、測定した使用者の生体情報である体重及び生体電気インピーダンス値と、使用者が入力した身長、年齢、性別等の生体情報とを演算処理することによって、体脂肪量（率）、体水分量（率）、筋肉量（率）、内臓脂肪面積、骨密度、基礎代謝量等といった所望の生体情報を取得するものがある（例えば、特許文献１及び２参照。）。
【０００３】
また、このような生体情報取得装置には、取得した生体情報を生体情報蓄積部に蓄積しておき、例えば一定期間内における生体情報の変化推移を確認し得るように構成されたものも知られている（例えば、特許文献３参照。）。
【０００４】
更に近年は、これらの生体情報取得装置で取得した生体情報をパソコン等の外部の情報処理装置に送信して蓄積することにより、例えば生体情報の長期継続的な変化履歴の管理を可能とするものもある。このようなものとして、歩数計本体に内蔵した体動センサと演算ユニットを用いて使用者の歩数や歩行ペースといった生体情報を取得しつつ、この生体情報を通信ケーブル又は光通信ユニットを用いてパソコンに送信し、別途パソコンに入力された使用者の身長、体重、年齢、性別等の生体情報と併せて演算処理をして、消費カロリーやその変化履歴といった生体情報を取得するシステム等が提案されている（特許文献４参照。）。
【０００５】
【特許文献１】特公平５−４９０５０号公報
【特許文献２】特開２００１−７０２７３号公報
【特許文献３】特開２００１−１９０５１４号公報
【特許文献４】特開２０００−４１９５３号公報
【発明の開示】
【発明が解決しようとする課題】
【０００６】
上記従来の生体情報取得装置のうち、特に取得した生体情報を生体情報蓄積部に蓄積してゆくタイプの生体情報取得装置では、生体情報蓄積部にその蓄積容量分の生体情報が蓄積されると、蓄積されている過去の生体情報を、新たに取得した生体情報で一般的には最も古いものから順に自動的に上書き消去して、新たに取得した生体情報を蓄積する構成とされている。
【０００７】
また、取得した生体情報を外部の情報処理装置に送信して蓄積するタイプの生体情報取得装置でも、取得した生体情報を一旦は生体情報取得装置の生体情報蓄積部に蓄積するようにされていることが多く、このような場合も、生体情報蓄積部にその蓄積容量分の生体情報が蓄積されると、蓄積されている生体情報を新たに取得した生体情報で自動的に上書き消去して、新たに取得した生体情報を蓄積する構成とされている。
【０００８】
生体情報蓄積部にその蓄積容量分の生体情報が蓄積されたときに、上述の如く蓄積されている過去の生体情報が自動的に消去されてしまう構成であると、使用者が過去の生体情報を消去したくないと考えている場合でも、斯かる使用者の意図に反して生体情報が消去されてしまうことがある。特に、比較的短い一定期間毎（例えば、一週間毎）に生体情報を外部の情報処理装置に送信することを前提として、生体情報取得装置の生体情報蓄積部にはあまり大量の生体情報を蓄積することができないように構成された生体情報取得装置の場合においては、使用者が上記一定期間毎のデータ送信をうっかり忘れたままで生体情報の取得を行うと、過去の生体情報が消去されてしまい、前述の長期継続的な変化履歴に支障を来たしかねない。
【０００９】
従って、この発明は、生体情報蓄積部に蓄積された生体情報が使用者の意図に反して消去されてしまうことを低減し得る生体情報取得装置及びそのような生体情報取得装置用の記憶装置を提供することを主たる課題とする。
【００１０】
また、この発明は、斯かる生体情報取得装置及び記憶装置において、蓄積された生体情報の消去を使用者が許容するときには、斯かる消去を行って最新の生体情報を蓄積し得る生体情報取得装置及び記憶装置を提供することを副次的な課題とする。
【課題を解決するための手段】
【００１１】
本発明による生体情報取得装置は、生体情報を取得するための生体情報取得部と、取得された生体情報を順次蓄積するための生体情報蓄積部と、これら生体情報取得部及び生体情報蓄積部を制御するための制御部とを備えてなる生体情報取得装置であって、前記生体情報蓄積部の蓄積容量に関する情報が格納された容量情報格納部と、前記生体情報蓄積部の蓄積状態に関する情報を報知するための蓄積状態報知部とを更に備え、前記制御部が、前記生体情報蓄積部に生体情報を蓄積する毎に前記蓄積容量に関する情報を更新すると共に、この更新された蓄積容量に関する情報に基づいて前記蓄積状態に関する情報を前記蓄積状態報知部に出力するものである。
【００１２】
また、本発明による生体情報取得装置では、前記制御部が、前記蓄積容量に関する情報の更新によってこの蓄積容量に関する情報が前記生体情報蓄積部の空き容量が残されていないことを示す所定の状態に達したとき、前記蓄積状態に関する情報として前記生体情報蓄積部の空き容量が残されていないことを示す情報を前記蓄積状態報知部に出力し、且つ、前記蓄積容量に関する情報の更新を停止するものであることが望ましい。
【００１３】
更に、本発明による生体情報取得装置は、前記生体情報蓄積部への生体情報の蓄積順位に関する情報が格納された順位情報格納部を更に備え、前記制御部が、前記生体情報蓄積部に生体情報を蓄積する毎に前記蓄積順位に関する情報を更新すると共に、この更新された蓄積順位に関する情報に基づいて生体情報を前記生体情報蓄積部に蓄積するものであることが望ましい。
【００１４】
更に、本発明による生体情報取得装置は、前記生体情報蓄積部に蓄積された生体情報を外部の情報処理装置に送出するための生体情報送出手段を更に備え、前記制御部が、前記生体情報送出手段によって前記生体情報蓄積部に蓄積された生体情報が外部の情報処理装置に送出されたとき、前記蓄積容量に関する情報を初期の状態に戻すものであることが望ましい。
【００１５】
更に、本発明による生体情報取得装置では、前記生体情報送出手段が、少なくとも前記生体情報取得部が組込まれた生体情報取得装置本体に対して別体且つ着脱自在に構成されると共に、少なくとも前記生体情報蓄積部と前記容量情報格納部とが組込まれてなる記憶装置であることが望ましい。
【００１６】
更に、本発明による生体情報取得装置では、前記記憶装置に、前記順位情報格納部が更に組込まれてなることが望ましい。
【００１７】
更に、本発明による生体情報取得装置は、前記生体情報取得部で取得された生体情報を表示するための生体情報表示部を更に備えると共に、この生体情報表示部に前記蓄積状態報知部が一体的に組込まれてなるものであることが望ましい。
【００１８】
或いは、本発明による生体情報取得装置用の記憶装置は、生体情報を取得するための生体情報取得部が組込まれた生体情報取得装置本体に対して別体且つ着脱自在に構成されると共に、前記生体情報取得部で取得された生体情報を蓄積するための生体情報蓄積部とこの生体情報蓄積部の蓄積容量に関する情報が格納された容量情報格納部とが組込まれてなるものである。
【００１９】
また、本発明による生体情報取得装置用の記憶装置は、前記生体情報蓄積部への生体情報の蓄積順位に関する情報が格納された順位情報格納部が更に組込まれてなるものであることが望ましい。
【発明の効果】
【００２０】
本発明の生体情報取得装置であれば、生体情報を蓄積する毎に更新される生体情報蓄積部の蓄積容量に関する情報に基づいて、この生体情報蓄積部の蓄積状態に関する情報が報知されるので、生体情報蓄積部における生体情報の蓄積状態を使用者に認識させることが可能となる。従って、蓄積された生体情報の消去が使用者の意図に反して行われてしまうことを低減し得るものである。
【００２１】
また、前記蓄積容量に関する情報が生体情報蓄積部の空き容量が残されていないことを示す所定の状態にまで更新されたときに、その旨を蓄積状態に関する情報として報知し、且つ、その後の蓄積容量に関する情報の更新を停止する構成であれば、更なる生体情報の取得・蓄積によって現在蓄積されている生体情報が上書き消去されるということを使用者に容易に且つ常に認識させることが可能となる。従って、蓄積された生体情報の消去が使用者の意図に反して行われてしまうことを、より確実に低減し得るものである。
【００２２】
また、生体情報を蓄積する毎に更新される生体情報の蓄積順位に関する情報に基づいて生体情報蓄積部への生体情報の蓄積を行う構成であれば、例えば生体情報蓄積部の空き容量が残されていない場合においても、使用者が生体情報の取得を継続したときは、既に蓄積された生体情報の消去を使用者が許容するものであるから、新たに取得した生体情報で蓄積順位の古い生体情報を上書き消去して、最新の生体情報を蓄積し得るものである。
【００２３】
また、生体情報蓄積部に蓄積された生体情報が生体情報送出手段によって外部の情報処理装置に送出されたときに前記蓄積容量に関する情報を初期の状態に戻す構成であれば、生体情報の送出後に報知される前記蓄積状態に関する情報も、これに伴って初期の状態に戻すことが可能となる。この構成を、特に、前記蓄積状態に関する情報として生体情報蓄積部の空き容量が残されていない旨を報知する構成に適用した場合、生体情報の送出後には斯かる報知が行われなくなるので、不必要な報知が行われるのを防止して合理的な生体情報取得装置とすることが可能となる。
【００２４】
また、前記生体情報送出手段が、生体情報取得装置本体に対して別体且つ着脱自在に構成された記憶装置であって、少なくとも生体情報蓄積部と容量情報格納部とが組込まれ、好ましくはこれらに加えて順位情報格納部が組込まれた記憶装置である場合は、生体情報送出手段を生体情報取得装置本体及び情報処理装置の設置場所を選ぶことなく利用可能で低コストなものとしつつ、前述した生体情報蓄積部の蓄積状態に関する情報の報知等が可能な、簡便な生体情報取得装置を得ることができる。
【００２５】
また、生体情報蓄積部の蓄積状態に関する情報を報知するための蓄積状態報知部が、生体情報を表示するための生体情報表示部に一体的に組込まれている場合には、使用者の注目を集め易い生体情報表示部を利用して生体情報蓄積部の蓄積状態に関する情報を報知することが可能となる。従って、蓄積情報に関する情報を、使用者に見落とされ難くすることができる。
【００２６】
一方、本発明の生体情報取得装置用の記憶装置であれば、生体情報取得装置本体に対して別体且つ着脱自在に構成されると共に、少なくとも生体情報蓄積部と容量情報格納部とが組込まれているので、この容量情報格納部に格納された蓄積容量に関する情報に基づいて生体情報蓄積部の蓄積状態に関する情報を報知することが可能となり、更に順位情報格納部が組込まれている場合には、この順位情報格納部に格納された蓄積順位に関する情報に基づいて生体情報蓄積部への生体情報の蓄積が可能となる。従って、生体情報蓄積部における生体情報の蓄積状態を使用者に認識させ、更には新たに取得した生体情報で蓄積順位の古い生体情報を上書き消去して最新の生体情報を蓄積し得る生体情報取得装置用の記憶装置とすることができる。
【発明を実施するための最良の形態】
【００２７】
本発明による生体情報取得装置は、生体情報を取得するための生体情報取得部と、取得された生体情報を順次蓄積するための生体情報蓄積部と、これら生体情報取得部及び生体情報蓄積部を制御するための制御部とを備えてなる生体情報取得装置であって、前記生体情報蓄積部の蓄積容量に関する情報が格納された容量情報格納部と、前記生体情報蓄積部の蓄積状態に関する情報を報知するための蓄積状態報知部とを更に備え、前記制御部が、前記生体情報蓄積部に生体情報を蓄積する毎に前記蓄積容量に関する情報を更新すると共に、この更新された蓄積容量に関する情報に基づいて前記蓄積状態に関する情報を前記蓄積状態報知部に出力するものである。
【００２８】
また、本発明による生体情報取得装置では、前記制御部が、前記蓄積容量に関する情報の更新によってこの蓄積容量に関する情報が前記生体情報蓄積部の空き容量が残されていないことを示す所定の状態に達したとき、前記蓄積状態に関する情報として前記生体情報蓄積部の空き容量が残されていないことを示す情報を前記蓄積状態報知部に出力し、且つ、前記蓄積容量に関する情報の更新を停止するものであることが望ましい。
【００２９】
更に、本発明による生体情報取得装置は、前記生体情報蓄積部への生体情報の蓄積順位に関する情報が格納された順位情報格納部を更に備え、前記制御部が、前記生体情報蓄積部に生体情報を蓄積する毎に前記蓄積順位に関する情報を更新すると共に、この更新された蓄積順位に関する情報に基づいて生体情報を前記生体情報蓄積部に蓄積するものであることが望ましい。
【００３０】
更に、本発明による生体情報取得装置は、前記生体情報蓄積部に蓄積された生体情報を外部の情報処理装置に送出するための生体情報送出手段を更に備え、前記制御部が、前記生体情報送出手段によって前記生体情報蓄積部に蓄積された生体情報が外部の情報処理装置に送出されたとき、前記蓄積容量に関する情報を初期の状態に戻すものであることが望ましい。
【００３１】
更に、本発明による生体情報取得装置では、前記生体情報送出手段が、少なくとも前記生体情報取得部が組込まれた生体情報取得装置本体に対して別体且つ着脱自在に構成されると共に、少なくとも前記生体情報蓄積部と前記容量情報格納部とが組込まれてなる記憶装置であることが望ましい。
【００３２】
更に、本発明による生体情報取得装置では、前記記憶装置に、前記順位情報格納部が更に組込まれてなることが望ましい。
【００３３】
更に、本発明による生体情報取得装置は、前記生体情報取得部で取得された生体情報を表示するための生体情報表示部を更に備えると共に、この生体情報表示部に前記蓄積状態報知部が一体的に組込まれてなるものであることが望ましい。
【００３４】
或いは、本発明による生体情報取得装置用の記憶装置は、生体情報を取得するための生体情報取得部が組込まれた生体情報取得装置本体に対して別体且つ着脱自在に構成されると共に、前記生体情報取得部で取得された生体情報を蓄積するための生体情報蓄積部とこの生体情報蓄積部の蓄積容量に関する情報が格納された容量情報格納部とが組込まれてなるものである。
【００３５】
また、本発明による生体情報取得装置用の記憶装置は、前記生体情報蓄積部への生体情報の蓄積順位に関する情報が格納された順位情報格納部が更に組込まれてなるものであることが望ましい。
【実施例】
【００３６】
以下、図面を用いて本発明の実施例を説明する。図１は、本発明の好適実施例としての生体情報取得装置１０を外部の情報処理装置３０と共に示す外観図である。図２は、この生体情報取得装置１０の回路構成を表す概略図である。図３は、この生体情報取得装置１０の生体情報蓄積部の構成を説明するための図である。図４は、この生体情報取得装置１０の本体で実行される制御処理を表すフローチャートである。図５は、この生体情報取得装置の液晶表示部の表示例を表す図である。図６は、この生体情報取得装置１０の記憶装置で実行される制御処理を表すフローチャートである。
【００３７】
図１及び図２に示すように、この生体情報取得装置１０は、本体１１と、この本体１１に対して別体且つ着脱自在に構成された記憶装置１とを備えており、本体１１で取得される使用者の年齢、性別、身長、体重、生体電気インピーダンス、体脂肪量（率）、体水分量（率）、筋肉量（率）、内臓脂肪面積（レベル）、骨量、骨密度、基礎代謝量等の生体情報を、破線で示す如く記憶装置１を介して外部の情報処理装置３０に送ることができるものである。
【００３８】
まず、本体１１は、使用者の年齢、性別、身長等が入力されると共にその体重及び生体電気インピーダンスが測定され、これら入力及び測定されたデータに基づいて使用者の体脂肪量（率）、体水分量（率）、筋肉量（率）、内臓脂肪面積（レベル）、骨量、骨密度、基礎代謝量等が算出されるように構成された、公知の所謂体脂肪計付き体重計を改良したものである。尚、本実施例においては、上記入力される生体情報を以下「個人データ」と総称し、上記測定又は算出される生体情報を以下「測定データ」と総称することとする。
【００３９】
この本体１１は、基本的には公知のロードセル１２（図２参照）が組込まれた体重計として構成されており、その上面１１ａには、使用者が個人データを入力するための入力スイッチ群１３と、使用者の足裏に接触して生体電気インピーダンスを測定するための電極群１４と、個人データや測定データを表示するための液晶表示部１５と、後述の記憶装置１を取付けるための取付け部１６とが備えられている。また、側面１１ｂには、電源投入スイッチを兼ねた４つの個人キースイッチ１７ａ、１７ｂ、１７ｃ、１７ｄからなる個人キースイッチ群１７と、電源遮断スイッチ１８とが配設されている。
【００４０】
ここで、電極群１４は、使用者の左足裏に接触する電極１４ａ，１４ｂと、右足裏に接触する電極１４ｃ，１４ｄとからなり、このうち、各足の爪先側に接触する電極１４ａ，１４ｃを用いて両足間に微弱電流を流し、各足の踵側に接触する電極１４ｂ，１４ｄを用いて両足間の電位差（電圧）を測定し、これら電流値と電圧値とから生体電気インピーダンスを測定することが可能となっている。
【００４１】
そして、これら左足用電極１４ａ，１４ｂと右足用電極１４ｃ，１４ｄとに挟まれた本体上面１１ａの略中央に、後述する記憶装置１の取付け部１６が形成されている。この取付け部１６は、後述の記憶装置１を横倒した状態で嵌め込むことができる程度の大きさの、開閉蓋１６ａを備えた嵌め込み孔１６ｂとして形成されており、この嵌め込み孔１６ｂの内面に、記憶装置１との接続に用いる端子２１（図２参照）が設けられている。
【００４２】
尚、上記のように、記憶装置１の取付け部１６を本体上面１１ａに備えておくと、本体１１の側面や裏面に備えた場合に比して、記憶装置１の着脱が容易に行える。また、この取付け部１６を上記のように記憶装置１を横倒して嵌め込むことができる構造としておくと、本体１１の厚みをさほど増すことなく、記憶装置１の取付け時に記憶装置１が上面１１ａから突出するのを防ぐことができ、使用者が誤って足裏を引掛ける等して記憶装置１を破損するような事態を招き難くすることができる。また、開閉蓋１６ａを備えれば、このような破損の虞は更に大幅に軽減される。
【００４３】
もちろん、この取付け部１６を形成する位置や形状等はこの実施例に限定される必要はなく、記憶装置１や本体１１の大きさ等に応じて適切な位置や形状とすることができる。例えば、前記入力スイッチ群１３及び液晶表示部１５が本体１１から分離可能或いは独立したユニットで構成された生体情報取得装置があるが、このような生体情報取得装置においては、斯かるユニットに前記取付け部１６を設けても良い。
【００４４】
一方、記憶装置１は、ＵＳＢ（Universal Serial Bus）規格の端子を備えたパソコン用の外付けメモリとして既に種々の製品化がなされている公知の所謂ＵＳＢメモリ装置を改良したもので、概ねチューインガムのパッケージ程度の大きさと形状であり、長手方向の一端側にオス型のＵＳＢ端子２を有し、このＵＳＢ端子２に対応する端子を備えた本体１１及び情報処理装置３０に容易に接続可能とされている。そして、これら本体１１及び情報処理装置３０をホスト側機器として、夫々との間でデータ伝送を行うものである。
【００４５】
また、生体情報取得装置１０（本体１１及び記憶装置１）は、内部に図２の如き回路構成を備えている。
【００４６】
まず、本体１１には、使用者による個人データの入力を受付け、或いは測定データの測定・算出を行うためのＣＰＵ、ＲＯＭ、ＲＡＭ等からなるマイコン２０が搭載されている。このマイコン２０には、記憶装置１のＵＳＢ端子２に対応した端子２１がデータバスＤ５を介して接続されている他、前記ロードセル１２に接続された秤回路２２と、前記入力スイッチ群１３に接続された入力回路２３と、前記電極群１４に接続されたインピーダンス回路２４と、前記液晶表示部１５に接続された表示出力回路２５と、前記個人キースイッチ群１７及び電源遮断スイッチ１８と電池２８とに接続された電源回路２７とが、夫々のデータバス又は制御信号バスを介して接続されている。また、これらマイコン２０、端子２１及び各回路２２〜２５は、電力供給ラインＶ１を介して電源回路２７に接続されている。
【００４７】
尚、本体１１には、記憶装置１とは別に、個人データや測定データを保存しておくためのＥＥＰＲＯＭ２６を組込んでおいてもよい。
【００４８】
そして、マイコン２０は、ロードセル１２及び秤回路２２で測定された体重、入力スイッチ群１３及び入力回路２３で入力された個人データ、並びに電極群１４及びインピーダンス回路２４で測定された生体電気インピーダンスに基づいて、体脂肪率等を算出する。また、マイコン２０は、入力された個人データ及び測定・算出された測定データ（即ち、生体情報）を、表示出力回路２５を介して液晶表示部１５に出力して表示する。更に、マイコン２０は、これらの生体情報を、端子２１を介して記憶装置１に送信する。この他にも、マイコン２０は、例えば内臓クロックによって常時日付データを計時・更新する等、種々の機能を担うものである。
【００４９】
一方、記憶装置１には、前記ＵＳＢ端子２と、ホスト側機器である本体１１又は情報処理装置３０との間で伝送されるデータ信号の選択に用いるアナログスイッチ３と、データ信号の処理や保存に関する制御を実行するためのマイコン４と、ＥＥＰＲＯＭ５とが搭載されている。もちろん、このＥＥＰＲＯＭ５は、不揮発性メモリ等の書換え可能でデータ保持が可能な記憶媒体であれば良く、例えばフラッシュメモリ等を用いても良い。
【００５０】
ＵＳＢ端子２はデータバスＤ１を介してアナログスイッチ３に接続され、アナログスイッチ３はデータバスＤ２及びＤ３と制御信号バスＣ１とを介してマイコン４に接続され、マイコン４はデータバスＤ４を介してＥＥＰＲＯＭ５に接続されている。尚、アナログスイッチ３、マイコン４及びＥＥＰＲＯＭ５は電力供給ライン（不図示）を介してＵＳＢ端子２に接続されており、従ってこの記憶装置１は、ＵＳＢ規格に則った他の多くの機器と同様に、ＵＳＢ端子２を介してホスト側機器からの電力供給を受けて動作する。
【００５１】
そして、この記憶装置１のＵＳＢ端子２を本体１１の端子２１に接続すると、本体１１で取得された生体情報が、ＵＳＢ端子２、データバスＤ１、アナログスイッチ３、データバスＤ２を介してマイコン４で受信されると共に、マイコン４からデータバスＤ４を介してＥＥＰＲＯＭ５に格納される。
【００５２】
尚、本体１１のマイコン２０を構成するＣＰＵは、パソコン等に搭載されるＣＰＵほどその処理能力は高くなく、ＵＳＢ規格のデータ伝送には対応していない。従って、本体１１から記憶装置１へのデータ伝送は、ＲＳ２３２Ｃ等のシリアル信号を用いたシリアル伝送によるものとなっている（図１破線ＳＥＲＩＡＬ）。
【００５３】
他方、図１に示す情報処理装置３０は、ＵＳＢ規格のデータ伝送に対応した所謂デスクトップパソコンであって、メス型のＵＳＢ端子３１を備えている。また、この情報処理装置３０には、生体情報の変化履歴をモニタ上にグラフ表示する等の機能を備えた履歴管理ソフトウェアや、記憶装置１を制御するためのドライバソフトウェアがインストールされている。
【００５４】
情報処理装置３０においてこの履歴管理ソフトウェアを起動し、且つ、記憶装置１のＵＳＢ端子２を情報処理装置３０のＵＳＢ端子３１に接続すると、記憶装置１のマイコン４は、ＥＥＰＲＯＭ５に格納されている生体情報をデータバスＤ４を介して読み出すと共に、データバスＤ３、アナログスイッチ３、データバスＤ１、ＵＳＢ端子２を介して情報処理装置３０に送信する（図１破線ＵＳＢ）。そして、情報処理装置３０では、履歴管理ソフトウェアに従って、受信した生体情報の履歴管理等がなされる。
【００５５】
即ち、本実施例の生体情報取得装置１０においては、ロードセル１２及び秤回路２２と、入力スイッチ群１３及び入力回路２３と、電極群１４及びインピーダンス回路２４と、マイコン２０とが、生体情報を取得するための生体情報取得部を構成し、ＥＥＰＲＯＭ５が生体情報を蓄積するための生体情報蓄積部を構成し、マイコン２０及びマイコン４が、これら生体情報取得部及び生体情報蓄積部を制御するための制御部を構成している。また、液晶表示部１５及び表示出力回路２５が生体情報を表示するための表示部を構成し、記憶装置１が生体情報を外部の情報処理装置３０に送出するための生体情報送出手段を構成している。
【００５６】
尚、生体情報蓄積部としてのＥＥＰＲＯＭ５は、本実施例の如く本体１１に対して別体且つ着脱自在に構成された記憶装置１に組込むだけでなく、図２に破線で示されたＥＥＰＲＯＭ２６のように、本体１１に直接組込むものであってもよい。また、生体情報送出手段は、本体１１と情報処理装置３０とを繋ぐ通信ケーブルや、赤外線又は電波を利用した無線通信装置によって構成してもよい。但し、本実施例の如く、生体情報蓄積部としてのＥＥＰＲＯＭ５が組込まれた記憶装置１をして生体情報送出手段とした場合には、通信ケーブルや赤外線通信装置で生体情報送出手段を構成した場合に比して、本体１１と情報処理装置３０と離れた場所に設置することができ、また、電波通信装置で生体情報送出手段を構成した場合に比して、安価な装置とすることが可能である。
【００５７】
また、情報処理端末３０にインストールしておくプログラムソフトウェアとしては、上述の如き履歴管理ソフトウェアだけでなく、受信した生体情報に基づいて例えば使用者に健康管理アドバイスを提供するものや、インターネット等を通じてこれらの生体情報を他者（主治医等）に送信するもの等、種々のものが考えられる。
【００５８】
次に、生体情報蓄積部としてのＥＥＰＲＯＭ５について詳述する。図３に示す如く、ＥＥＰＲＯＭ５には、前記４つの個人キースイッチ１７ａ、１７ｂ、１７ｃ、１７ｄに対応させて、４つの領域５１、５２、５３、５４が形成されている。更に、各領域５１、５２、５３、５４は、夫々がヘッダ情報領域５１ａ、５２ａ、５３ａ、５４ａと、データ蓄積領域５１ｂ、５２ｂ、５３ｂ、５４ｂとで構成されている。
【００５９】
そして、各ヘッダ情報領域５１ａ〜５４ａには、対応する個人キースイッチの番号（以下「個人番号」と称する。）と、対応するデータ蓄積領域の全容量を表す値（以下「全容量」と略称する。）と、対応するデータ蓄積領域の現在の空き容量を表す値（以下「空き容量」と略称する。）と、対応するデータ蓄積領域中のどこに生体情報を蓄積すべきかを指し示すデータ蓄積アドレスポインタ（以下「アドレスポインタ」と略称する。）との、４項目の情報（以下「ヘッダ情報」と総称する。）が格納されている。即ち、本実施例においては、前記空き容量が生体情報蓄積部の蓄積容量に関する情報に相当し、前記アドレスポインタが生体情報の蓄積順位に関する情報に相当し、従って、前記ヘッダ情報領域が、容量情報格納部及び順位情報格納部を構成している。
【００６０】
また、各データ蓄積領域５１ｂ〜５４ｂには、本体１１で取得した生体情報を順次蓄積してゆくために、複数のデータ蓄積アドレスが区画形成されている。本実施例においては、各データ蓄積領域５１ｂ〜５４ｂに、個人データの蓄積アドレス（以下「個人データアドレス」と称する。）が一区画、測定データの蓄積アドレス（以下「測定データアドレス」と称する。）が十区画、夫々形成されている。従って、この記憶装置１には、個人番号１つについて１人分の個人データと１０回分（１０日分）の測定データとを蓄積することが可能となっている。
【００６１】
尚、領域５１〜５４の数は４つに限らず、これより少なくても多くても良い。また、データ蓄積領域５１ｂ〜５４ｂに区画形成される測定データアドレスの数も十区画に限らず、これより少なくても多くても良い。
【００６２】
次に、この生体情報取得装置１０の本体１１で実行される制御処理について、図４のフローチャートを参照して説明する。また、併せて、液晶表示部１５の表示例を、図５を参照して説明する。
【００６３】
使用者が本体１１の個人キースイッチ１７ａ〜１７ｄの何れかを押下すると、電源回路２７を介して電池２８の電力が本体１１の各部に供給され、マイコン２０では、押下された個人キースイッチに対応する個人番号が特定されると共に、図４のフローチャートに従った制御処理が実行される。ここでは、個人キースイッチ１７ａが押下され、個人番号１が特定されたものとする。
【００６４】
ステップＳ１では、本体１１に記憶装置１が接続されているか否かの確認が行われる。具体的には、マイコン２０は、データバスＤ５及び端子２１を介して、記憶装置１に所定の接続確認コマンドパルスを送信する。記憶装置１では、この接続確認コマンドパルスを受信した場合、直ちに所定の接続応答コマンドパルスを本体１１に返信する。従って、マイコン２０は、接続確認コマンドパルス送信後の極めて短い所定時間（例えば、１００ミリ秒）内に接続応答コマンドパルスを受信した場合に、記憶装置１が接続されていると判断し、ステップＳ２に進む。
【００６５】
ステップＳ２では、マイコン２０は、まず、記憶装置１に対して、個人番号１に対応したヘッダ情報を要求するためのヘッダ情報要求コマンドパルスを送信する。記憶装置１では、このヘッダ情報要求コマンドパルスを受信した場合、個人番号１が格納されたヘッダ情報領域５１ａを特定し、ここに格納されているヘッダ情報を読み出して本体１１に返信する。この結果、マイコン２０では、個人番号１に対応したヘッダ情報が受信される。
【００６６】
ステップＳ３では、マイコン２０は、ステップＳ２で受信したヘッダ情報から、データ蓄積領域５１ｂの空き容量が０（ゼロ）であるか否かを判別する。本実施例において、この空き容量は、その初期値が１０に設定されており、基本的にはデータ蓄積領域５１ｂに生体情報を蓄積するに際して１ずつ減少更新されるものである（後記ステップＳ１７参照）。従って、もしも空き容量が０であれば、データ蓄積領域５１ｂに区画形成された十区画全ての測定データアドレスに、既に測定データが蓄積されていることを意味する。即ち、本実施例においては、この空き容量が０である状態が、生体情報蓄積部の空き容量が残されていない所定の状態に相当するものである。マイコン２０は、空き容量が０の場合に、ステップＳ４に進む。
【００６７】
ステップＳ４では、マイコン２０は、液晶表示部１５に、図５（ａ）の如く、生体情報蓄積部たるＥＥＰＲＯＭ５の蓄積容量が残されていないことを示す「メモリＦＵＬＬ」の文字を表示する。
【００６８】
即ち、本実施例においては、斯かる文字表示が生体情報蓄積部の蓄積状態に関する情報に相当し、この情報を報知するための蓄積状態報知部は、液晶表示部１５に一体的に組込まれて構成されている。この液晶表示部１５は、前述の通り生体情報が表示される場所でもあることから、使用者の注目を集め易い場所である。従って、斯かる文字表示を液晶表示部１５に行うことで、生体情報蓄積部の蓄積状態を確実に使用者に知らしめることができる。また、この文字表示により、使用者は、ＥＥＰＲＯＭ５の空き容量が残されていない旨を容易に認識し、このまま体重や体脂肪率等の測定を続けた場合には、既にＥＥＰＲＯＭ５に蓄積されている過去の測定データが上書き消去されてしまうであろうことを予想することができる。そして、使用者は、過去の測定データを消去したくない場合には、この時点で記憶装置１を本体１１から取外して外部の情報処理装置３０に接続し、ＥＥＰＲＯＭ５に蓄積されている測定データを情報処理装置３０に送出するか（後記ステップＳ２０及びＳ２１参照）、或いは蓄積容量の残されている別の記憶装置１に交換する等の、適切な措置を講じることができる。
【００６９】
尚、生体情報蓄積部の蓄積状態に関する情報の報知は、図５（ａ）の如き文字表示に限らず、より簡略化された記号を表示するものであってもよい。また、蓄積状態報知部は、液晶表示部１５とは別に、例えば入力スイッチ群１３の近傍や記憶装置１自体に、報知の際に点灯するＬＥＤ等として配設することも可能である。更に、蓄積状態報知部は、使用者の視覚に訴えるものに限らず、警告音を発するブザー等、聴覚に訴えるものであってもよく、これら文字表示、ＬＥＤ、ブザー等を適宜に組み合わせたものであってもよい。
【００７０】
ステップＳ４の後、マイコン２０は、ステップＳ６に進み、使用者による生体情報の入力又は測定に備える。
【００７１】
一方、前記ステップＳ１において接続応答コマンドパルスが受信されなかった場合には、マイコン２０は、記憶装置１が接続されていないと判断し、ステップＳ５に進む。ステップＳ５では、マイコン２０は、液晶表示部１５に、図５（ｂ）の如く、記憶装置１が接続されていないことを示す「メモリ未接続」の文字を表示する。この文字表示も、より簡素化された記号表示や、ＬＥＤ、ブザー等で代替してもよい。その後、マイコン２０は、ステップＳ６に進み、使用者による生体情報の入力又は測定に備える。
【００７２】
また、前記ステップＳ３において空き容量が０ではなかった場合（即ち、ＥＥＰＲＯＭ５の空き容量が未だ残されている場合）には、マイコン２０は、ステップＳ４をスキップしてステップＳ６に進み、使用者による生体情報の入力又は測定に備える。
【００７３】
ステップＳ６では、所定の待機時間（例えば、２分間）、使用者による個人データの入力開始又は測定データの測定開始に備える。この待機時間内に、入力スイッチ群１３からの入力も、ロードセル１２や電極群１４からの入力もなかった場合、マイコン２０は、以後の全てのステップをスキップしてこの制御処理を終了し、電源を遮断する。一方、入力スイッチ群１３、又はロードセル１２及び電極群１４からの入力があった場合には、ステップＳ７に進む。
【００７４】
ステップＳ７では、マイコン２０は、生体情報を取得すると共に、取得した生体情報を液晶表示部１５に表示する。即ち、ステップＳ６において入力スイッチ群１３からの入力があった場合は、斯かる入力に従って個人データを取得しつつ、順次表示する。一方、ステップＳ６においてロードセル１２及び電極群１４からの入力があった場合には、まずはこれらの入力に基づいて体重及び生体電気インピーダンスを測定する。その後、接続されている記憶装置１からＥＥＰＲＯＭ５のデータ蓄積領域５１ａに蓄積されている個人データを読み出し、これら体重と生体電気インピーダンスと個人データとに基づいて、体脂肪率等を算出する。このようにして取得された測定データは、図５（ｃ）〜（ｅ）に例示する如く、液晶表示部１５に順次表示される。尚、図５（ｃ）は体重の表示例、図５（ｄ）は体脂肪率の表示例、図５（ｅ）は基礎代謝量の表示例である。これら測定データの表示は、一定時間ずつ、所定回数だけ繰返して表示される。尚、この場合において、記憶装置１が接続されていないときや、ＥＥＰＲＯＭ５に未だ個人データが蓄積されていないときは、体脂肪率等の算出は行われない。
【００７５】
ステップＳ８では、前記ステップＳ１と同様の方法で記憶装置１の接続確認を再び行い、記憶装置１の接続が確認された場合はステップＳ９に、確認されない場合にはステップＳ１０に進む。
【００７６】
ステップＳ９では、マイコン２０は、前記ステップＳ７で取得した生体情報を、データバスＤ５及び端子２１を介して、記憶装置１に送信する。その後、所定の待機時間（例えば、２分間）が経過すると、この制御処理を終了し、電源を遮断する。
【００７７】
ステップＳ１０では、前記ステップＳ５と同様に、液晶表示部１５に「メモリ未接続」と表示させる。その後、所定の待機時間（例えば、２分間）が経過すると、この制御処理を終了し、電源を遮断する。
【００７８】
尚、前記ステップＳ７で取得された生体情報は、前記ステップＳ９又はステップＳ１０を経て電源が遮断されるまで、液晶表示部１５に継続的に表示される。
【００７９】
次に、この生体情報取得装置１０の記憶装置１で実行される制御処理について、図６のフローチャートを参照して説明する。記憶装置１のマイコン４は、ホスト側機器たる本体１１又は情報処理装置３０からの電力供給を受けて動作する。
【００８０】
ステップＳ１１では、現在の接続先が本体１１であるか否かの確認が行われる。即ち、マイコン４は、ホスト側機器から前述の接続確認コマンドパルス（前記ステップＳ１参照）が送信されてきた場合は、本体１１に接続中であると判断し、接続応答コマンドパルスを返信すると共にステップＳ１２に進む。一方、ホスト側機器から所謂バスリセット信号（ＵＳＢ規格のデータ伝送においてホスト側機器から送信される識別信号）が送信されてきた場合には、情報処理装置３０に接続中であると判断し、ステップＳ２０に進む。
【００８１】
尚、本実施例の記憶装置１は、ＵＳＢ端子２とマイコン４との間にデータバス切換え用のアナログスイッチ３を備えており、制御信号バスＣ１を介してこのアナログスイッチ３を制御することにより、本体１１との間のシリアル信号を用いたデータ伝送にはデータバスＤ２を、情報処理装置３０との間のＵＳＢ規格によるデータ伝送にはデータバスＤ３を、夫々切換えて使用することが可能となっている。
【００８２】
ステップＳ１２では、マイコン４は、本体１１からのヘッダ情報要求コマンドパルス（前記ステップＳ２参照）を受信して、ＥＥＰＲＯＭ５の中から対応する個人番号（ここでは、個人番号１）が格納されたヘッダ情報領域５１ａを特定し、ここに格納されているヘッダ情報を読み出して本体１１に返信する。
【００８３】
ステップＳ１３では、マイコン４は、本体１１から送信されてくる生体情報（前記ステップＳ９参照）を受信する。
【００８４】
ステップＳ１４では、マイコン４は、ステップＳ１３で受信した生体情報が個人データであるか否かを判別し、これが個人データである場合はステップＳ１５に進む。
【００８５】
ステップＳ１５では、マイコン４は、ステップＳ１４で受信した個人データを、データ蓄積領域５１ｂに区画形成された個人データアドレスに蓄積する。既に個人データが蓄積されている場合は、上書きする。
【００８６】
一方、ステップＳ１４で受信した生体情報が個人データでない場合、即ち、測定データである場合は、ステップＳ１４からステップＳ１６に進む。
【００８７】
ステップＳ１６では、マイコン４は、ステップＳ１２で読込んだヘッダ情報から、データ蓄積領域５１ｂの空き容量が０（ゼロ）であるか否かを判別する。前述の通り、この空き容量は、その初期値が１０に設定されており、基本的にはデータ蓄積領域に生体情報を蓄積するに際して１ずつ減少更新されるものである（後記ステップＳ１７参照）。マイコン４は、空き容量が０でない場合はステップＳ１７に進み、空き容量が０の場合はステップＳ１７をスキップしてステップＳ１８に進む。
【００８８】
ステップＳ１７では、マイコン４は、現在の空き容量を１つ減少更新して、ステップＳ１８に進む。この減少更新の結果として空き容量が０となった場合、次回この記憶装置１を本体１１に接続したときに、本体１１では前記ステップＳ２で更新後の空き容量を含むヘッダ情報を受信し、前記ステップＳ３でこのデータ蓄積領域の空き容量が０であると判別し、前記ステップＳ４で「メモリＦＵＬＬ」の文字を液晶表示部１５に表示する。また、このとき、記憶装置１ではこのステップＳ１７がスキップされるので、空き容量の更新は停止され、空き容量は０のままとなる。そして、この空き容量は、蓄積された生体情報を情報処理装置３０に送出することで初期値に戻るようにされており（後記ステップＳ２１参照）、従って、使用者が生体情報の送出を行うまで、本体１１においては常に「メモリＦＵＬＬ」の文字が表示されることとなる。
【００８９】
ステップＳ１８では、マイコン４は、このデータ蓄積領域５１ｂのどこに測定データを蓄積すべきかを指し示すアドレスポインタを更新する。前述の通り、各データ蓄積領域中の測定データアドレスは十区画ずつ形成されているので、アドレスポインタは、例えば１から１０の数値で与えられている。アドレスポインタの更新は、この数値を、１、２、３、・・・９、１０、１、２、３、・・・９、１０、１、２、３、・・・というように、順次、繰返し、変更してゆくことで行われる。従って、現在のアドレスポインタが１０であれば、この数値を更新して１とする。
【００９０】
尚、例えば測定データアドレス一区画に対して１日分の測定データを格納し、合計１０日分の生体情報を記憶装置１に蓄積するようにしたい場合は、本体１１で計時・更新される日付データを測定データに加えておき、前回蓄積した測定データ中の日付データと今回蓄積すべき測定データ中の日付データとを比較して、両者が一致したとき（即ち、同日の測定データであるとき）には、このアドレスポインタの更新を行わないようにプログラムしておけばよい。これにより、同日の測定データは同一の測定データアドレスに蓄積されることとなる。
【００９１】
ステップＳ１９では、マイコン４は、アドレスポインタが指定する測定データアドレスに、測定データを蓄積する。既に測定データが蓄積されている場合は、上書きする。この結果、前記ステップＳ４で「メモリＦＵＬＬ」の文字を液晶表示部１５に表示したにも拘らず、前記ステップＳ６で使用者が測定を続行した場合は、これは使用者が蓄積データの消去を許容するものであるから、既に蓄積されている測定データは、最も古い測定データから、順次上書き消去されることになる。
【００９２】
尚、本実施例においては、このステップＳ１９における測定データの蓄積処理が、前記ステップＳ１６及びＳ１７における空き容量の更新処理及び前記ステップＳ１８におけるアドレスポインタの更新処理の後に設けられているが、この蓄積処理を、これら更新処理の前に実行するようにしてもよい。
【００９３】
一方、前記ステップＳ１１において、記憶装置１が情報処理装置３０に接続されている場合には、前述の通りステップＳ２０に進む。
【００９４】
ステップＳ２０では、マイコン４は、情報処理装置３０に対して生体情報を送出する。具体的に、マイコン４は、例えば前述の履歴管理ソフトウェア等に従って情報処理装置３０から発せられる生体情報要求信号を受診した場合に、データ蓄積領域に蓄積されている個人データ及び測定データを、ＵＳＢ規格のデータ伝送によって情報処理装置３０に送信する。その後、マイコン４は、ステップＳ２１に進む。
【００９５】
ステップＳ２１では、マイコン４は、ステップＳ２０で生体情報を送出し終えたデータ蓄積領域の空き容量を、初期値１０に戻す。この結果、次回この記憶装置１を本体１１に接続した場合には、前記ステップＳ３において空き容量は０ではないと判別され、「メモリＦＵＬＬ」の表示は行われなくなる。
【００９６】
以上、本発明の好適実施例について説明してきたが、本発明はこの実施例の説明において適宜述べた如き種々の変形が可能であることは言うまでもない。また、本発明を適用し得る生体情報取得装置は、上述の実施例の如く両足間の生体電気インピーダンスを測定するタイプの体脂肪計付き体重計に限らず、両手間及び／又は手足間の生体電気インピーダンスを測定するタイプであってもよく、或いは体脂肪計付き体重計以外の、歩数計、血圧計、体温計等の生体情報取得装置であってもよい。
【図面の簡単な説明】
【００９７】
【図１】本発明による生体情報取得装置の外観図。
【図２】本発明による生体情報取得装置の回路構成を表す概略図。
【図３】本発明による生体情報取得装置の生体情報蓄積部を説明するための図。
【図４】本発明による生体情報取得装置の本体で実行される制御処理を表すフローチャート。
【図５】図５（ａ）〜（ｅ）は、本発明による生体情報取得装置の液晶表示部の表示例を表す図。
【図６】本発明による生体情報取得装置の記憶装置で実行される制御処理を表すフローチャート。
【符号の説明】
【００９８】
１  記憶装置
２  端子
３  アナログスイッチ
４  マイコン
５  ＥＥＰＲＯＭ
１０  生体情報取得装置
１１  本体
１２  ロードセル
１３  入力スイッチ群
１４  電極群
１４ａ、１４ｂ、１４ｃ、１４ｄ  電極
１５  液晶表示部
１６  取付け部
１６ａ  開閉蓋
１６ｂ  嵌め込み孔
１７  電源投入スイッチ（個人キースイッチ群）
１７ａ、１７ｂ、１７ｃ、１７ｄ  個人キースイッチ
１８  電源遮断スイッチ
２０  マイコン
２１  端子
２２  秤回路
２３  入力回路
２４  インピーダンス回路
２５  表示出力回路
２６  ＥＥＰＲＯＭ
２７  電源回路
２８  電池
３０  情報処理装置
３１  端子
５１、５２、５３、５４  領域
５１ａ、５２ａ、５３ａ、５４ａ  ヘッダ情報領域
５１ｂ、５２ｂ、５３ｂ、５４ｂ  データ蓄積領域
【図１】
2005211603.tif 000003
【図２】
2005211603.tif 000004
【図３】
2005211603.tif 000005
【図４】
2005211603.tif 000006
【図５】
2005211603.tif 000007
【図６】
2005211603.tif 000008